(57)【要約】【課題】人体通信の応用を具現化した人体装着型電子機器等を提供する。【解決手段】人体→電極（人体通信）の経路で送信されるＰＣ側からの通信指令信号を受信したか否かを判断する（Ｗ１０６）。通指令信号を受信した場合には、送信モードへ移行し（Ｗ１１０）、モード信号を送信する（Ｗ１１１）。次に、ＰＣからの人体通信による装置コードを受信したか否かを判断し（Ｗ１１２）、受信した場合には、Ｗ１１２で受信した装置コードに対応して予め記憶されていＩＤコードを読み出し、ＰＣに送信する（Ｗ１１６）。また、ＰＣから人体通信でＯＫコードを受信したか否かを判断する（Ｗ１１８）。ＯＫコードを受信した場合には、ＯＫ表示を行い（Ｗ１１９）、受信した装置コードと時計回路から取得した時刻データ（時刻、日付）とを、記憶部に記憶させる（Ｗ１２０）。そして、別の処理フローにより、この記憶させた時刻データを表示させる。【選択図】　　　　図７
2004088223.tif 000002
【特許請求の範囲】
【請求項１】
人体に接触する電極と、
現在時刻データを生成する計時手段と、
ＩＤデータを記憶するＩＤデータ記憶手段と、
このＩＤデータ記憶手段に記憶されている前記ＩＤデータを所定の信号に変換し前記電極を介して前記人体に出力するとともに、前記人体を介して前記電極から入力される信号に基づき出力対象機器を特定するデータを得るデータ入出力手段と、
このデータ入出力手段により得られた前記出力対象機器を特定するデータと前記現在時刻データとを対応付けて記憶する記憶手段と、
この記憶手段に記憶された前記時刻データを表示する表示手段と
を備えることを特徴とする人体装着型電子機器。
【請求項２】
前記記憶手段に記憶されているいずれかの出力対象機器を特定するデータを選択する選択手段を更に具備し、
前記表示手段は、前記選択手段により選択された出力対象機器を特定するデータに対応する時刻データを表示することを特徴とする請求項１記載の人体装着型電子機器。
【請求項３】
前記データ入出力手段は更に、前記計時手段により生成される前記現在時刻データを所定の信号に変換して出力することを特徴とする請求項１記載の人体装着型電子機器。
【請求項４】
前記ＩＤデータ記憶手段は、前記ＩＤデータとともに指紋データを記憶し、
データ入出力手段は、前記ＩＤデータ記憶手段に記憶されている前記ＩＤデータと指紋データとを所定の信号に変換し前記電極を介して前記人体に出力することを特徴とする請求項１記載の人体装着型電子機器。
【請求項５】
現在時刻データを生成する計時手段と、
人体に接触する電極と、
データを所定の信号に変換して前記電極を介して前記人体にに出力するとともに、前記人体を介して前記電極から入力される信号に基づき時刻データを得るデータ入出力手段と、
このデータ入出力手段により得られた前記時刻データに基づいて、前記計時手段の時刻データを修正する修正手段と
を備えることを特徴とする人体装着型電子機器。
【請求項６】
人体に接触する電極と、現在時刻データを生成する計時手段と、ＩＤデータを記憶するＩＤデータ記憶手段とを備える人体装着型電子機器の制御方法であって、
前記ＩＤデータ記憶手段に記憶されている前記ＩＤデータを所定の信号に変換し前記電極を介して前記人体に出力するとともに、前記人体を介して前記電極から入力される信号に基づき出力対象機器を特定するデータを得るデータ入出力工程と、
このデータ入出力工程で得られた前記出力対象機器を特定するデータと前記現在時刻データとを対応付けて記憶手段に記憶させる記憶処理工程と、
前記記憶手段に記憶された前記時刻データを表示手段に表示させる表示処理工程と
を含むことを特徴とする人体装着型電子機器の制御方法。
【請求項７】
現在時刻データを生成する計時手段と、人体に接触する電極とを備える人体装着型電子機器の制御方法であって、
データを所定の信号に変換して前記電極を介して前記人体にに出力するとともに、前記人体を介して前記電極から入力される信号に基づき時刻データを得るデータ入出力工程と、
このデータ入出力工程により得られた前記時刻データに基づいて、前記計時手段の時刻データを修正する修正工程と
を含むことを特徴とする人体装着型電子機器の制御方法。
【請求項８】
人体に接触する電極と、現在時刻データを生成する計時手段と、ＩＤデータを記憶するＩＤデータ記憶手段とを備える人体装着型電子機器が有するコンピュータを、
前記ＩＤデータ記憶手段に記憶されている前記ＩＤデータを所定の信号に変換し前記電極を介して前記人体に出力するとともに、前記人体を介して前記電極から入力される信号に基づき出力対象機器を特定するデータを得るデータ入出力手段と、
このデータ入出力工程で得られた前記出力対象機器を特定するデータと前記現在時刻データとを対応付けて記憶手段に記憶させる記憶処理手段と、
前記記憶手段に記憶された前記時刻データを表示手段に表示させる表示処理手段と
して機能させることを特徴とする人体装着型電子機器制御プログラム。
【請求項９】
現在時刻データを生成する計時手段と、人体に接触する電極とを備える人体装着型電子機器が有するコンピュータを、
データを所定の信号に変換して前記電極を介して前記人体にに出力するとともに、前記人体を介して前記電極から入力される信号に基づき時刻データを得るデータ入出力手段と、
このデータ入出力手段により得られた前記時刻データに基づいて、前記計時手段の時刻データを修正する修正手段と
して機能させることを特徴とする人体装着型電子機器制御プログラム。
【請求項１０】
人体装着型電子機器と人体を介して信号を入出力する人体通信用外部機器であって、
人体を接触させるための電極と、
ＩＤデータを記憶するＩＤデータ記憶手段と、
前記人体を介して前記電極から入力される信号に基づきＩＤデータを得るデータ入力手段と、
この入力手段により得られたＩＤデータと前記ＩＤデータ記憶手段に記憶されているデータとの一致性を判断する判断手段と、
この判断手段により両ＩＤデータが一致すると判断された場合、当該機器を特定するデータを所定の信号に変換して前記電極から人体に出力するデータ出力手段と
を備えることを特徴とする人体通信用外部機器。
【請求項１１】
人体装着型電子機器と、この人体装着型電子機器と人体を介して信号を入出力する外部機器とで構成される人体通信システムであって、
前記人体装着型電子機器は、
人体に接触する電極と、
現在時刻データを生成する計時手段と、
ＩＤデータを記憶するＩＤデータ記憶手段と、
このＩＤデータ記憶手段に記憶されている前記ＩＤデータを所定の信号に変換し前記電極を介して前記人体に出力するとともに、前記人体を介して前記電極から入力される信号に基づき出力対象機器を特定するデータを得るデータ入出力手段と、
このデータ入出力手段により得られた前記出力対象機器を特定するデータと前記現在時刻データとを対応付けて記憶する記憶手段と、
この記憶手段に記憶された前記時刻データを表示する表示手段と
を備え、
前記外部機器は、
人体を接触させるための電極と、
ＩＤデータを記憶するＩＤデータ記憶手段と、
前記人体を介して前記電極から入力される信号に基づきＩＤデータを得るデータ入力手段と、
この入力手段により得られたＩＤデータと前記ＩＤデータ記憶手段に記憶されているデータとの一致性を判断する判断手段と、
この判断手段により両ＩＤデータが一致すると判断された場合、当該機器を特定するデータを所定の信号に変換して前記電極から人体に出力するデータ出力手段と
を備えることを特徴とする人体通信システム。
【請求項１２】
前記外部機器は、前記判断手段により両ＩＤデータが一致すると判断された場合、所定の動作を開始させる制御手段を更に備えることを特徴とする請求項１１記載の人体通信システム。
【発明の詳細な説明】
【０００１】
【発明の属する技術分野】
本発明は、外部機器と人体通信を行う人体装着型電子機器、人体装着型電子機器の制御方法、人体装着型電子機器制御プログラム、人体通信用外部機器及び人体通信システ、に関する。
【０００２】
【発明の背景】
今日においては、導体である人体を送電線として利用し、双方向でデータ通信を行うことのできる人体通信モジュールが開発されつつある。具体的には、腕時計型や衣服装着型の送信機から、外部機器に組み込まれた受信機へ、ＩＤデータを伝送するシステムや、時計型の通信機間でデータのやり取りをするシステムが開発され、さらにはこれらシステムをセキュリティ用途や電子財布用途、アミューズメント用途に応用することも検討されている。
【０００３】
【発明が解決しようとする課題】
しかしながら、前述のように人体通信モジュールを用いて、ＩＤデータを伝送するシステムや通信機間でデータのやり取りをするシステムを各種用途に応用することは検討されているはいるものの、その応用が具現化されていないのが実情である。
【０００４】
本発明は、このような実情に鑑みてなされたものであり、人体通信の応用を具現化した人体装着型電子機器、人体装着型電子機器の制御方法、人体装着型電子機器制御プログラム、人体通信用外部機器及び人体通信システムを提供することを目的とするものである。
【０００５】
【課題を解決するための手段】
前記課題を解決するために請求項１に係る人体装着型電子機器にあっては、人体に接触する電極と、現在時刻データを生成する計時手段と、ＩＤデータを記憶するＩＤデータ記憶手段と、このＩＤデータ記憶手段に記憶されている前記ＩＤデータを所定の信号に変換し前記電極を介して前記人体に出力するとともに、前記人体を介して前記電極から入力される信号に基づき出力対象機器を特定するデータを得るデータ入出力手段と、このデータ入出力手段により得られた前記出力対象機器を特定するデータと前記現在時刻データとを対応付けて記憶する記憶手段と、この記憶手段に記憶された前記時刻データを表示する表示手段とを備える。
【０００６】
すなわち、データ入出力手段は、ＩＤデータ記憶手段に記憶されているＩＤデータを信号により電極を介して人体に出力する。したがって、出力対象機器側でこのＩＤデータを得て、予め記憶されているＩＤデータとの照合を行い、その結果に応じて所定の動作を開始することができ、人体装着型電子機器を出力対象機器に所定の動作を開始させるための「鍵」として使用することができる。
【０００７】
また、データ入出力手段は、ＩＤデータに応答し対象機器から人体を介して電極から入力される信号に基づき、出力対象機器を特定するデータを得る。そして、この出力対象機器を特定するデータと現在時刻データとが記憶手段に記憶される。したがって、記憶手段に、出力対象機器を特定するデータと、当該出力対象機器から応答があった時刻データとを対応付けて記憶させることができる。よって、この時刻データが表示手段に表示されることにより、ユーザはいずれの対象機器を何時動作させて使用したかの履歴を知ることができ、人体通信の応用を具現化して、対象機器の使用履歴の記憶と表示とに活用することができる。
【０００８】
また、請求項２に係る人体装着型電子機器にあっては、前記記憶手段に記憶されているいずれかの出力対象機器を特定するデータを選択する選択手段を更に具備し、前記表示手段は、前記選択手段により選択された出力対象機器を特定するデータに対応する時刻データを表示する。したがって、所望する出力対象機器の使用履歴となる時刻データを表示させることができる。
【０００９】
また、請求項３に係る人体装着型電子機器にあっては、前記データ入出力手段は更に、前記計時手段により生成される前記現在時刻データを所定の信号に変換して出力する。したがって、出力対象機器において現在時刻データを入力させて、時刻修正に利用することができる。
【００１０】
また、請求項４に係る人体装着型電子機器にあっては、前記ＩＤデータ記憶手段は、前記ＩＤデータとともに指紋データを記憶し、データ入出力手段は、前記ＩＤデータ記憶手段に記憶されている前記ＩＤデータと指紋データとを所定の信号に変換し前記電極を介して前記人体に出力する。したがって、出力対象機器側でＩＤデータの照合のみならず、指紋データと検出した指紋との照合を行って、その結果に応じて所定の動作を開始することができる。よって、出力対象機器に所定の動作を開始させるための「鍵」としての、人体装着型電子機器のセキュリティ機能を高めることができる。
【００１１】
また、請求項５に係る人体装着型電子機器にあっては、現在時刻データを生成する計時手段と、人体に接触する電極と、データを所定の信号に変換して前記電極を介して前記人体にに出力するとともに、前記人体を介して前記電極から入力される信号に基づき時刻データを得るデータ入出力手段と、このデータ入出力手段により得られた前記時刻データに基づいて、前記計時手段の時刻データを修正する修正手段とを備える。したがって、人体通信の応用を具現化して、人体装着型電子機器の時刻データを修正することができる。
【００１２】
また、請求項６に係る人体装着型電子機器の制御方法にあっては、人体に接触する電極と、現在時刻データを生成する計時手段と、ＩＤデータを記憶するＩＤデータ記憶手段とを備える人体装着型電子機器の制御方法であって、前記ＩＤデータ記憶手段に記憶されている前記ＩＤデータを所定の信号に変換し前記電極を介して前記人体に出力するとともに、前記人体を介して前記電極から入力される信号に基づき出力対象機器を特定するデータを得るデータ入出力工程と、このデータ入出力工程で得られた前記出力対象機器を特定するデータと前記現在時刻データとを対応付けて記憶手段に記憶させる記憶処理工程と、前記記憶手段に記憶された前記時刻データを表示手段に表示させる表示処理工程とを含む。したがって、記載した工程に従って処理を実行することにより、請求項１記載の発明と同様の作用効果を奏する。
【００１３】
また、請求項７に係る人体装着型電子機器の制御方法にあっては、現在時刻データを生成する計時手段と、人体に接触する電極とを備える人体装着型電子機器の制御方法であって、データを所定の信号に変換して前記電極を介して前記人体にに出力するとともに、前記人体を介して前記電極から入力される信号に基づき時刻データを得るデータ入出力工程と、このデータ入出力工程により得られた前記時刻データに基づいて、前記計時手段の時刻データを修正する修正工程とを含む。したがって、記載した工程に従って処理を実行することにより、請求項５記載の発明と同様の作用効果を奏する。
【００１４】
また、請求項８に係る人体装着型電子機器制御プログラムにあっては、人体に接触する電極と、現在時刻データを生成する計時手段と、ＩＤデータを記憶するＩＤデータ記憶手段とを備える人体装着型電子機器が有するコンピュータを、前記ＩＤデータ記憶手段に記憶されている前記ＩＤデータを所定の信号に変換し前記電極を介して前記人体に出力するとともに、前記人体を介して前記電極から入力される信号に基づき出力対象機器を特定するデータを得るデータ入出力手段と、このデータ入出力工程で得られた前記出力対象機器を特定するデータと前記現在時刻データとを対応付けて記憶手段に記憶させる記憶処理手段と、前記記憶手段に記憶された前記時刻データを表示手段に表示させる表示処理手段として機能させる。したがって、前記コンピュータがこのプログラムに従って処理を実行することにより、請求項１記載の発明と同様の作用効果を奏する。
【００１５】
また、請求項９に係る人体装着型電子機器制御プログラムにあっては、現在時刻データを生成する計時手段と、人体に接触する電極とを備える人体装着型電子機器が有するコンピュータを、データを所定の信号に変換して前記電極を介して前記人体にに出力するとともに、前記人体を介して前記電極から入力される信号に基づき時刻データを得るデータ入出力手段と、このデータ入出力手段により得られた前記時刻データに基づいて、前記計時手段の時刻データを修正する修正手段として機能させる。したがって、前記コンピュータがこのプログラムに従って処理を実行することにより、請求項５記載の発明と同様の作用効果を奏する。
【００１６】
また、請求項１０に係る発明は、人体装着型電子機器と人体を介して信号を入出力する人体通信用外部機器であって、人体を接触させるための電極と、ＩＤデータを記憶するＩＤデータ記憶手段と、前記人体を介して前記電極から入力される信号に基づきＩＤデータを得るデータ入力手段と、この入力手段により得られたＩＤデータと前記ＩＤデータ記憶手段に記憶されているデータとの一致性を判断する判断手段と、この判断手段により両ＩＤデータが一致すると判断された場合、当該機器を特定するデータを所定の信号に変換して前記電極から人体に出力するデータ出力手段とを備える。
【００１７】
すなわち、データ入力手段により得られたＩＤデータと予めＩＤデータ記憶手段に記憶されているＩＤデータとを照合し、両者が一致した場合には、当該機器を特定するデータを所定の信号に変換して電極から人体に出力する。したがって、この信号が人体装着型電子機器に入力されることにより、人体装着型電子機器は、出力対象機器を特定するデータと、当該出力対象機器から応答があった時刻データとを対応付けて記憶させることができる。よって、人体通信の応用を具現化して、対象機器の使用履歴の記憶に活用することができる。
【００１８】
また、請求項１１に係る発明は、人体装着型電子機器と、この人体装着型電子機器と人体を介して信号を入出力する外部機器とで構成される人体通信システムであって、前記人体装着型電子機器は、人体に接触する電極と、現在時刻データを生成する計時手段と、ＩＤデータを記憶するＩＤデータ記憶手段と、このＩＤデータ記憶手段に記憶されている前記ＩＤデータを所定の信号に変換し前記電極を介して前記人体に出力するとともに、前記人体を介して前記電極から入力される信号に基づき出力対象機器を特定するデータを得るデータ入出力手段と、このデータ入出力手段により得られた前記出力対象機器を特定するデータと前記現在時刻データとを対応付けて記憶する記憶手段と、この記憶手段に記憶された前記時刻データを表示する表示手段とを備え、前記外部機器は、人体を接触させるための電極と、ＩＤデータを記憶するＩＤデータ記憶手段と、前記人体を介して前記電極から入力される信号に基づきＩＤデータを得るデータ入力手段と、この入力手段により得られたＩＤデータと前記ＩＤデータ記憶手段に記憶されているデータとの一致性を判断する判断手段と、この判断手段により両ＩＤデータが一致すると判断された場合、当該機器を特定するデータを所定の信号に変換して前記電極から人体に出力するデータ出力手段とを備える。
【００１９】
したがって、出力対象機器側でこのＩＤデータを得て、予め記憶されているＩＤデータとの照合を行うことにより、人体装着型電子機器を出力対象機器に所定の動作を開始させるための「鍵」として使用することができる。また、人体装着型電子機器には、出力対象機器を特定するデータと現在時刻データとが記憶手段に記憶される。したがって、記憶手段に、出力対象機器を特定するデータと、当該出力対象機器から応答があった時刻データとを対応付けて記憶させることができる。よって、この時刻データが表示手段に表示されることにより、ユーザはいずれの対象機器を何時動作させて使用したかの履歴を知ることができ、人体通信の応用を具現化して、対象機器の使用履歴の記憶と表示とに活用することができる。
【００２０】
また、請求項１２に係る人体通信システムにあっては、前記外部機器は、前記判断手段により両ＩＤデータが一致すると判断された場合、所定の動作を開始させる制御手段を更に備える。したがって、出力対象機器側でこのＩＤデータを得て、予め記憶されているＩＤデータとの照合を行い、両ＩＤデータが一致した場合に所定の動作を開始することにより、人体装着型電子機器を出力対象機器に所定の動作を開始させるための「鍵」とするシステムを確立することができる。
【００２１】
【発明の実施の形態】
以下、本発明の実施の形態を図に従って説明する。
（第１の実施の形態）
各実施の形態は、本発明を腕時計に適用したものであり、図１は、各実施の形態に共通する腕時計１の回路構成を示すブロック図である。この腕時計１は、ＣＰＵ等で構成される制御部１１を備え、制御部１１には、表示部１２、標準電波受信回路１３、ＲＡＭ１４、ＲＯＭ１５及び時計回路１６が接続されている。表示部１２は、ＬＣＤ及びこれを駆動する回路で構成され、制御部１１からの駆動信号により時計回路１６が生成する現在時刻や各種データを表示する。標準電波受信回路１３は、発信局から送信される正確な時刻情報を含む標準電波を受信するものであり、制御部１１は標準電波受信回路１３が受信した時刻情報に基づき、必要に応じて時計回路１６の現在時刻を修正する。ＲＡＭ１４は、制御部１１のワークエリアとして使用されるとともに、後述する記憶部が設けられている。ＲＯＭ１５には、後述するフローチャートによって示すプログラムが格納されている。時計回路１６は、発信、分周回路１７から入力されるパルス信号に基づき、日時を含む現在時刻を生成し制御部１１に供給する。
【００２２】
さらに、制御部１１にはキー部１８、電圧検出回路１９、通信回路２０が接続されている。キー部１８は、スタートキー、時刻修正キー、転送キー、表示キー等を備え、これらキーの操作情報を制御部１１に入力する。電圧検出回路１９は、この腕時計１の電源である電池（図示せず）の電圧を検出する。通信回路２０には、この腕時計１を腕に装着した状態において人体と接触する電極２１に接続されている。この通信回路２０は、制御部１１により与えられた転送すべきデータを所定の信号に変換し、電極２１及び人体を通して送信するためのデータ送信部と、人体及び電極２１を通して受信された信号から、人体に特有の雑音信号を除去して本来送信されたデータを取り出すためのデータ受信部とを備えている。
【００２３】
前記ＲＡＭ１４には、図２に示すように、ＩＤデータ記憶部１４１、利用時刻記憶部１４２及び転送利用時刻記憶部１４３が設けられている。ＩＤデータ記憶部１４１には、複数の外部装置にＩＤを送信できるように、この腕時計１と通信を行う外部装置の装置コードとＩＤコードとが対応して複数組記憶される。利用時刻記憶部１４２には、この腕時計１と通信を行った装置の装置コードとその時刻、日付が対応して複数組記憶される。転送利用時刻記憶部１４３には、この腕時計１と通信を行った装置から送信されてきたＩＤ、その時のＩＤ入力方法及び時刻データが対応して複数組記憶される。なお、ＩＤ入力方法としては、データが人体を通した通信（人体通信）によるものか、キー入力によるものかが記憶される。
【００２４】
図３は、本実施の形態において腕時計１の通信相手となるＰＣ（ｐｅｒｓｏｎａｌ　ｃｏｍｐｕｔｅｒ）３の回路構成を示すブロック図である。このＰＣ３は、ＣＰＵ等で構成される制御部３１を備え、制御部３１には、表示部３２、ハードディスク３３、ＲＡＭ３４、ＲＯＭ３５及び時計回路３６が接続されている。表示部３２は、ＬＣＤ及びこれを駆動する回路で構成され、制御部３１からの駆動信号により各種データを表示する。ハードディスク３３は、各種データやプログラムの記憶に用いられ、ＲＡＭ３４は、制御部３１のワークエリアとして使用されるとともに、後述する記憶部が設けられている。また、ＲＯＭ３５には、後述するフローチャートによって示すプログラムが格納されている。時計回路３６は、発信、分周回路３７から入力されるパルス信号に基づき、日時を含む現在時刻を生成し制御部３１に供給する。
【００２５】
さらに、制御部３１にはキーボード３８、指紋検出部３９、通信回路４０が接続されている。キーボード３８は、文字入力キーやテンキーや機能キー等を備え、これらキーの操作情報を制御部３１に入力する。指紋検出部３９は、ユーザーの指紋を検出して制御部３１に入力するものであり、図４に示すように、透明のガラス板３９１とこのガラス板３９１の下面側に配置されたＣＣＤセンサー３９２とで構成されている。通信回路４０には、図４に示すように、ガラス板３９１の上面に配置された電極４１を有している。この電極４１は透明であり、よって、ユーザーが電極４１に指先を触れると、人体が電極４１と接触した状態となるともに、指紋をＣＣＤセンサー３９２により検出することが可能である。通信回路４０は、制御部３１により与えられた転送すべきデータを所定の信号に変換し、電極４１及び人体を通して送信するためのデータ送信部と、人体及び電極４１を通して受信された信号から、人体に特有の雑音信号を除去して本来送信されたデータを取り出すためのデータ受信部とを備えている。
【００２６】
前記ＲＡＭ３４には、図５に示すように、指紋データ記憶部３４１及び利用時刻記憶部３４２が設けられている。指紋データ記憶部３４１には、複数の人がこのＰＣ３を利用するために、ＩＤコードと、指紋データ、及び通信設定データが対応して複数組記憶される。利用時刻記憶部１４２には、このＰＣ３と通信を行った装置から送信されてきたＩＤ、その時のＩＤ入力方法及び時刻データが対応して複数組記憶される。なお、ＩＤ入力方法としては、前述と同様に、データが人体を通した通信（人体通信）によるものか、キー入力によるものかが記憶される。
【００２７】
（Ａ）腕時計１の動作
【００２８】
以上の構成に係る本実施の形態において、使用に際してユーザーは図６に示すように、腕Ａに腕時計１を装着する。この状態において、腕時計１の電極２１は腕Ａの皮膚に接触している。そして、この腕時計１を装着した腕Ａ側の指Ｆの指紋部分をＰＣ３の電極４１に接触させると、腕時計１とＰＣ３との間で人体通信が可能な状態が形成される。
【００２９】
▲１▼ＩＤモード
【００３０】
この人体通信可能な状態において、ユーザーが他方の手でキー部１８に設けられているスタートキーを操作すると、腕時計１の制御部１１は、ＲＯＭ１５に格納されているプログラムに従って、図７のフローチャートに示すＩＤモード処理を開始する。すなわち、電圧検出回路１９を動作させて電池の電圧を検出し（ステップＷ１０１）、電圧が所定電圧以上であるか否かを判断する（ステップＷ１０２）。電圧が所定電圧未満である場合には（ステップＷ１０２；ＮＯ）、表示部１２に電圧低下表示を行った後（ステップＷ１０３）、このフローチャートに従った処理を修了する。
【００３１】
電圧が所定電圧以上である場合には（ステップＷ１０２；ＹＥＳ）、通信回路２０をオンにし（ステップＷ１０４）、この通信回路２０の前記データ受信部を起動させた受信モードへ移行する（ステップＷ１０５）。次に、ＰＣ３側から電極１４→人体→電極２１（以下、「電極１４→人体→電極２１」及び「電極１４←人体←電極２１」経路での通信を人体通信という。）の経路で送信される通信指令信号を受信したか否か（ステップＷ１０６）、及び一定時間が経過したか否か（ステップＷ１０７）を繰り返し判断する。そして、通信指令信号を受信することなく一定時間が経過した場合には（ステップＷ１０７；ＹＥＳ）、表示部１２に通信不良表示を行い（ステップＷ１０８）、通信回路２０をオフにして（ステップＷ１０９）、このフローチャートに従った処理を修了する。
【００３２】
また、一定時間が経過する前に、ＰＣ３側から人体通信により送信される通信指令信号を受信した場合には（ステップＷ１０６；ＹＥＳ）、通信回路２０の前記データ送信部を起動させた送信モードへ移行する（ステップＷ１１０）。そして、通信回路２０より人体通信でＰＣ３に「ＩＤモード」であることを示すモード信号を送信する（ステップＷ１１１）。
【００３３】
次に、ＰＣ３からの人体通信による装置コードを受信したか否か（ステップＷ１１２）、及び一定時間が経過したか否か（ステップＷ１１３）を繰り返し判断する。そして、装置コードを受信することなく一定時間が経過した場合には（ステップＷ１１３；ＹＥＳ）、表示部１２に通信不良表示を行い（ステップＷ１１４）、通信回路２０をオフにして（ステップＷ１１５）、このフローチャートに従った処理を修了する。また、一定時間が経過する前に、ＰＣ３側から人体通信により送信される装置コードを受信した場合には（ステップＷ１１２；ＹＥＳ）、図２（Ａ）に示したＩＤデータ記憶部１４１から、先程のステップＷ１１２で受信した装置コードに対応して記憶されていＩＤコードを読み出して、ＰＣ３に送信する（ステップＷ１１６）。
【００３４】
引き続き、前記受信モードへ移行して、ＰＣ３から人体通信でＯＫコードを受信したか否かを判断する（ステップＷ１１８）。ＯＫコードを受信した場合には（ステップＷ１１８；ＹＥＳ）、表示部１２にＯＫ表示を行い（ステップＷ１１９）、受信した装置コードと時計回路１６から取得した時刻データ（時刻、日付）とを、図２（Ｂ）に示した利用時刻記憶部１４２に記憶させる（ステップＷ１２０）。しかる後に、通信回路２０をオフにして（ステップＷ１２１）、このフローチャートに従った処理を修了する。
【００３５】
また、ＯＫコードを受信しなかった場合には（ステップＷ１１８；ＮＯ）、ＮＧコードを受信したか否かを判断する（ステップＷ１２２）。ＮＧコードを受信した場合には（ステップＷ１２２；ＹＥＳ）、表示部１２にＮＧ表示を行い（ステップＷ１２３）、通信回路２０をオフにする（ステップＷ１２４）。しかる後に、受信した装置コードと時計回路１６から取得した時刻データ（時刻、日付）とを、前記利用時刻記憶部１４２に記憶させる。
【００３６】
また、ＮＧコードを受信しなかった場合には（ステップＷ１２２；ＮＯ）、一定時間が経過したか否かを判断する（ステップＷ１２６）。そして、ＯＫコード及びＮＧコードを受信せずに一定時間が経過した場合には（ステップＷ１２６；ＹＥＳ）、表示部１２に通信不良表示を行い（ステップＷ１２７）、通信回路２０をオフにして（ステップＷ１２８）、このフローチャートに従った処理を修了する。
【００３７】
▲２▼時刻修正モード
前記人体通信可能な状態で、ユーザーがキー部１８に設けられている時刻修正キーを操作すると、腕時計１の制御部１１は、ＲＯＭ１５に格納されているプログラムに従って、図８のフローチャートに示す処理を開始する。すなわち、電圧検出回路１９を動作させて電池の電圧を検出し（ステップＷ２０１）、電圧が所定電圧以上であるか否かを判断する（ステップＷ２０２）。電圧が所定電圧未満である場合には（ステップＷ２０２；ＮＯ）、表示部１２に電圧低下表示を行った後（ステップＷ２０３）、このフローチャートに従った処理を修了する。
【００３８】
電圧が所定電圧以上である場合には（ステップＷ２０２；ＹＥＳ）、通信回路２０をオンにし（ステップＷ２０４）、この通信回路２０の前記データ受信部を起動させた受信モードへ移行する（ステップＷ２０５）。次に、ＰＣ３側から人体通信により送信される通信指令信号を受信したか否か（ステップＷ２０６）、及び一定時間が経過したか否か（ステップＷ２０７）を繰り返し判断する。そして、通信指令信号を受信することなく一定時間が経過した場合には（ステップＷ２０７；ＹＥＳ）、表示部１２に通信不良表示を行い（ステップＷ２０８）、通信回路２０をオフにして（ステップＷ２０９）、このフローチャートに従った処理を修了する。
【００３９】
また、一定時間が経過する前に、ＰＣ３側から人体通信により送信される通信指令信号を受信した場合には（ステップＷ２０６；ＹＥＳ）、通信回路２０の前記データ送信部を起動させた送信モードへ移行する（ステップＷ２１０）。そして、通信回路２０より人体通信でＰＣ３に、「時刻修正モード」であることを示すモード信号を送信する（ステップＷ２１１）。さらに、時計回路１６が計時している現在時刻データをＰＣ３に送信し（ステップＷ２１２）、このフローチャートに従った処理を修了する。
【００４０】
▲３▼転送モード
前記人体通信可能な状態で、ユーザーがキー部１８に設けられている転送キーを操作すると、腕時計１の制御部１１は、ＲＯＭ１５に格納されているプログラムに従って、図９のフローチャートに示す処理を開始する。この図９に示すフローチャートにおいて、ステップＷ３０１〜Ｗ３１９の処理は、前述した図７のフローチャートにおけるステップＷ１０１〜Ｗ１１９の処理と同一であるので、説明を省略する。但し、ステップＷ３１１においては、通信回路２０より人体通信でＰＣ３に、「転送モード」であることを示すモード信号を送信する。
【００４１】
そして、ステップＷ３１９でＯＫ表示を行った後、受信モードへ移行して（ステップＷ３２０）、ＰＣ３から人体通信で送信されてきたＩＤ、ＩＤ入力方法、時刻データを受信し、これらを図２（Ｃ）に示した転送利用時刻記憶部１４３に記憶させる（ステップＷ３２１）。さらに、この記憶させたデータのうち、当該腕時計１に未記憶であったデータを抽出し（ステップＷ３２２）、この抽出した未記憶のデータを表示部１２に表示させる（ステップＷ３２３）。しかる後に、通信回路２０をオフにして（ステップＷ３２４）、このフローチャートに従った処理を修了する。
【００４２】
また、ＯＫコードを受信しなかった場合には（ステップＷ３１８；ＮＯ）、ＮＧコードを受信したか否かを判断する（ステップＷ３２５）。ＮＧコードを受信した場合には（ステップＷ３２５；ＹＥＳ）、表示部１２にＮＧ表示を行い（ステップＷ３２６）、通信回路２０をオフにする（ステップＷ３２７）。また、ＮＧコードを受信しなかった場合には（ステップＷ３２５；ＮＯ）、一定時間が経過したか否かを判断する（ステップＷ３２８）。そして、ＯＫコード及びＮＧコードを受信せずに一定時間が経過した場合には（ステップＷ３２８；ＹＥＳ）、表示部１２に通信不良表示を行い（ステップＷ３２９）、通信回路２０をオフにして（ステップＷ３３０）、このフローチャートに従った処理を修了する。
【００４３】
▲３▼表示モード
また、ユーザーがキー部１８に設けられている表示キーを操作すると、腕時計１の制御部１１は、ＲＯＭ１５に格納されているプログラムに従って、図１０のフローチャートに示す処理を開始する。すなわち、利用時刻記憶部１４２に記憶されている装置コードから、操作に応じていずれかの装置コードを選択し（ステップＷ４０１）、この選択された装置コードに対応して記憶されている時刻データを表示部１２に表示させる（ステップＷ４０１）。
【００４４】
（Ｂ）ＰＣ３の動作
他方、ＰＣ３はＲＯＭ３５に格納されているプログラムに従って、図１１のフローチャートに示す処理を実行する。すなわち、通信指令信号を送信し（ステップＰ１０１）、このステップＰ１０１でＰＣ３側から送信された通信指令信号の受信が、腕時計１側の前記ステップＷ１０６、Ｗ２０６、Ｗ３０６で判断されることとなる。次に、前述のステップＷ１１１、Ｗ２１１、Ｗ３１１で腕時計１側から送信されるモード信号を受信したか否か（ステップＰ１０２）、及びキーボード３８からのキー入力があったか否か（ステップＰ１０３）を判断し、いずれかがあるまでステップＰ１０１→Ｐ１０２→Ｐ１０３→Ｐ１０１のループを繰り返す。そして、キー入力があった場合には（ステップＰ１０３；ＹＥＳ）、後述するキー処理を実行する（ステップＰ１０４）。
【００４５】
また、モード信号を受信した場合には（ステップＰ１０２；ＹＥＳ）、それが前述のステップＷ１１１で腕時計１側から送信された「ＩＤモード」であるか否かを判断する（ステップＰ１０５）。「ＩＤモード」であるならば（ステップＰ１０５；ＹＥＳ）、当該ＰＣ３の装置コードを送信する（ステップＰ１０６）。このステップＰ１０６でＰＣ３側から送信された装置コードの受信が、腕時計１側の前記ステップＷ１１２で判断されることとなる。
【００４６】
次に、腕時計１からの人体通信によるＩＤコードを受信したか否か（ステップＰ１０７）、及び一定時間が経過したか否か（ステップＰ１０８）を繰り返し判断する。そして、ＩＤを受信することなく一定時間が経過した場合には（ステップＰ１０８；ＹＥＳ）、このフローチャートに従った処理を修了する。また、一定時間が経過する前に、腕時計１側から前述のステップＷ１１６の処理により送信されるＩＤを受信した場合には（ステップＰ１０７；ＹＥＳ）、図５（Ａ）に示した指紋データ記憶部３４１から、受信したＩＤに対応する指紋データを読み出す（ステップＰ１０９）。さらに、指紋検出部３９を動作させて前記ユーザーの指Ｆから指紋を検出し（ステップＰ１１０）、この検出した指紋と先程のステップＰ１０９で読み出した指紋データとを比較し、両者が一致するか否かを判断する（ステップＰ１１１）。
【００４７】
この判断の結果、両者が不一致であった場合には（ステップＰ１１１；ＮＯ）、ＮＧコードを送信する（ステップＰ１１２。）。このステップＰ１１２でＰＣ３側から送信されたＮＧコードの受信が、腕時計１側の前記ステップＷ１２２で判断されることとなる。また、両者が一致した場合には（ステップＰ１１１；ＹＥＳ）、ＯＫコードを送信し（ステップＰ１１３）、このステップＰ１１３でＰＣ３側から送信されたＯＫコードの受信が、腕時計１側の前記ステップＷ１１８で判断されることとなる。そして、受信したＩＤ、この時の入力方法（この場合入力方法は「人体通信」）、及び時計回路３６から取得した時刻データを、図５（Ｂ）に示した利用時刻記憶部３４２に記憶させる（ステップＰ１１４）。しかる後に、所定の動作を開始する（ステップＰ１１５）。
【００４８】
他方、ステップＰ１０５での判断の結果、「ＩＤモード」でなかった場合には、受信したモード信号が前述のステップＷ２１１で腕時計１側から送信された「時刻修正モード」であるか否かを判断する（ステップＰ１０５）。「時刻修正モード」であるならば（ステップＰ１１６；ＹＥＳ）、通信回路４０を時刻データ受信可能にし（ステップＰ１１７）、前述のステップＷ２１２で腕時計１側から送信される時刻データを受信したか否か（ステップＰ１１８）、及び一定時間が経過したか否か（ステップＰ１１９）を判断し、いずれかがあるまでステップＰ１１７→Ｐ１１８→Ｐ１１９→Ｐ１１７のループを繰り返す。そして、一定時間が経過した場合には、このフローチャートに従った処理を修了する。また、一定時間が経過する前に腕時計１からの時刻データを受信した場合には（ステップＰ１１８；ＹＥＳ）、この受信した時刻データに従って時計回路３６の時刻を修正する（ステップＰ１２０）。
【００４９】
また、ステップＰ１１６での判断の結果、「時刻修正モード」でなかった場合には、受信したモード信号が前述のステップＷ３１１で腕時計１側から送信された「転送モード」であるか否かを判断し（ステップＰ１２１）、「転送モード」でもなかった場合には他のモードに移行する。また、「転送モード」であるならば（ステップＰ１２１；ＹＥＳ）、当該ＰＣ３の装置コードを送信する（ステップＰ１２２）。このステップＰ１２２でＰＣ３側から送信された装置コードの受信が、腕時計１側の前記ステップＷ３１２で判断されることとなる。
【００５０】
次に、腕時計１からの人体通信によるＩＤコードを受信したか否か（ステップＰ１２３）、及び一定時間が経過したか否か（ステップＰ１２４）を繰り返し判断する。そして、ＩＤを受信することなく一定時間が経過した場合には（ステップＰ１２４；ＹＥＳ）、このフローチャートに従った処理を修了する。また、一定時間が経過する前に、腕時計１側からステップＷ３１６の処理により送信されるＩＤを受信した場合には（ステップＰ１２３；ＹＥＳ）、図５（Ａ）に示した指紋データ記憶部３４１から、受信したＩＤに対応する指紋データを読み出す（ステップＰ１２５）。さらに、指紋検出部３９を動作させて前記ユーザーの指Ｆから指紋を検出し（ステップＰ１２６）、この検出した指紋と先程のステップＰ１２５で読み出した指紋データとを比較し、両者が一致するか否かを判断する（ステップＰ１２７）。
【００５１】
この判断の結果、両者が不一致であった場合には（ステップＰ１２７；ＮＯ）、ＮＧコードを送信する（ステップＰ１１２。）。このステップＰ１２７でＰＣ３側から送信されたＮＧコードの受信が、腕時計１側の前記ステップＷ３２５で判断されることとなる。また、両者が一致した場合には（ステップＰ１２７；ＹＥＳ）、指紋データ記憶部３４１において前記一致した指紋データに対応して記憶されているＩＤ、この時の入力方法（この場合入力方法は「人体通信」）、及び時計回路３６から取得した時刻データを腕時計１側に送信し、このフローチャートに従った処理を修了する。
【００５２】
前記ステップＰ１０４のキー処理は、図１２に示すフローチャートに従って実行される。まず、ＩＤ入力処理を行って（ステップＰ２０１）、キーボード３８で入力されたＩＤを取り込む。次に、図５（Ａ）に示した指紋データ記憶部３４１から、この入力されたＩＤに対応する指紋データを読み出す（ステップＰ２０２）。さらに、指紋検出部３９を動作させて前記ユーザーの指Ｆから指紋を検出し（ステップＰ２０３）、この検出した指紋と先程のステップＰ２０２で読み出した指紋データとを比較し、両者が一致するか否かを判断する（ステップＰ２０４）。
【００５３】
この判断の結果、両者が不一致であった場合には（ステップＰ２０４；ＮＯ）、表示部１２にてＮＧ表示を行う（ステップＰ２０５。）。また、両者が一致した場合には（ステップＰ２０４；ＹＥＳ）、表示部１２にてＯＫ表示を行い（ステップＰ２０６）、所定の動作を開始する（ステップＰ２０７）。しかる後に、入力されたＩＤ、この時の入力方法（この場合入力方法は「キー入力」）、及び時計回路３６から取得した時刻データを、図５（Ｂ）に示した利用時刻記憶部３４２に記憶させる（ステップＰ２０８）。
【００５４】
（第２の実施の形態）
図１３は、本発明の第２の実施の形態に係る腕時計１の処理手順を示すものであり、ＰＣ３からの時刻データにより腕時計１の時刻を修正するものである。前記人体通信可能な状態において、ユーザーがキー部１８に設けられている時刻修正キーを操作すると、腕時計１の制御部１１は、ＲＯＭ１５に格納されているプログラムに従って、図１３のフローチャートに示す時刻修正モード処理を開始する。すなわち、電圧検出回路１９を動作させて電池の電圧を検出し（ステップＷ５０１）、電圧が所定電圧以上であるか否かを判断する（ステップＷ５０２）。電圧が所定電圧未満である場合には（ステップＷ５０２；ＮＯ）、表示部１２に電圧低下表示を行った後（ステップＷ５０３）、このフローチャートに従った処理を修了する。電圧が所定電圧以上である場合には（ステップＷ５０２；ＹＥＳ）、通信回路２０をオンにし（ステップＷ５０４）、この通信回路２０の前記データ受信部を起動させた受信モードへ移行する（ステップＷ５０５）。次に、ＰＣ３側から人体通信により送信される通信指令信号を受信したか否か（ステップＷ５０６）、及び一定時間が経過したか否か（ステップＷ５０７）を繰り返し判断する。そして、通信指令信号を受信することなく一定時間が経過した場合には（ステップＷ５０７；ＹＥＳ）、表示部１２に通信不良表示を行い（ステップＷ５０８）、通信回路２０をオフにして（ステップＷ５０９）、このフローチャートに従った処理を修了する。
【００５５】
また、一定時間が経過する前に、ＰＣ３側から人体通信により送信される通信指令信号を受信した場合には（ステップＷ５０６；ＹＥＳ）、通信回路２０の前記データ送信部を起動させた送信モードへ移行する（ステップＷ５１０）。そして、通信回路２０より人体通信でＰＣ３に「時刻修正モード」であることを示すモード信号を送信した後（ステップＷ５１１）、受信モードへ移行する（ステップＷ１１２）。
【００５６】
次に、ＰＣ３からの人体通信による時刻データを受信したか否か（ステップＷ５１３）、及び一定時間が経過したか否か（ステップＷ５１４）を繰り返し判断する。そして、時刻データを受信することなく一定時間が経過した場合には（ステップＷ５１４；ＹＥＳ）、表示部１２に通信不良表示を行い（ステップＷ５１５）、通信回路２０をオフにして（ステップＷ５１６）、このフローチャートに従った処理を修了する。また、一定時間が経過する前に、ＰＣ３側から人体通信により送信される時刻データを受信した場合には（ステップＷ５１３；ＹＥＳ）、受信した時刻データに従って時計回路１６の時刻を修正する（ステップＷ５０７）。しかる後に、通信回路２０をオフにして（ステップＷ５１８）、このフローチャートに従った処理を修了する。
【００５７】
（第３の実施の形態）
図１４〜１６は、本発明の第３の実施の形態を示すものであり、腕時計１側から指紋データをＰＣ３へ送信し、ＰＣ３受信した指紋データと検出した指紋との一致を判断するようにしたものである。したがって、図１４に示すように、本実施の形態において腕時計１のＲＡＭ１４の利用時刻記憶部１４４には、その一部の領域にＩＤコードとこのＩＤコードである者の指紋データとが予め記憶されており、残る領域にこの腕時計１と通信を行った装置の装置コードとその時刻、日付が対応して複数記憶できるように構成されている。
【００５８】
（Ａ）腕時計１の動作
【００５９】
そして、前記人体通信可能な状態において、ユーザーがキー部１８に設けられているスタートキーを操作すると、腕時計１の制御部１１は、ＲＯＭ１５に格納されているプログラムに従って、図１５のフローチャートに示すＩＤモード処理を開始する。この図１５に示すフローチャートにおいて、ステップＷ６１７を除くステップＷ６０１〜Ｗ６１６、及びステップＷ６１８〜６２９は、前述した図７のフローチャートにおける全ステップＷ１０１〜Ｗ１２８の処理と同一であるので、説明を省略する。そして、唯一異なるステップＷ６１７では、ステップＷ６１６で送信したＩＤと対応して利用時刻記憶部１４４に記憶されている指紋データをＰＣ３に送信する。
【００６０】
なお、ステップＷ６２１及びステップＷ６２６においては、受信した装置コードと時計回路１６から取得した時刻データ（時刻、日付）とを、図１４に示した利用時刻記憶部１４４に記憶させる。したがって、この実施の形態においても、前述した「▲３▼表示モード」が実行された際には、利用時刻記憶部１４４に記憶されている装置コードから、操作に応じていずれかの装置コードが選択され（ステップＷ４０１）、この選択された装置コードに対応して記憶されている時刻データを表示部１２に表示させることとなる（ステップＷ４０１）。
【００６１】
（Ｂ）ＰＣ３の動作
他方、ＰＣ３はＲＯＭ３５に格納されているプログラムに従って、図１６のフローチャートに示す処理を開始する。すなわち、通信指令信号を送信し（ステップＰ３０１）、このステップＰ３０１でＰＣ３側から送信された通信指令信号の受信が、腕時計１側の前記ステップＷ６０６で判断されることとなる。次に、前述のステップＷ６１１で腕時計１側から送信されるモード信号を受信したか否か（ステップＰ３０２）、及びキーボード３８からのキー入力があったか否か（ステップＰ３０３）を判断し、いずれかがあるまでステップＰ３０１→Ｐ３０２→Ｐ３０３→Ｐ３０１のループを繰り返す。そして、キー入力があった場合には（ステップＰ３０３；ＹＥＳ）、前述した図１２のフローチャートに従ったキー処理を実行する（ステップＰ３０４）。
【００６２】
また、モード信号を受信したならば（ステップＰ３０２；ＹＥＳ）、それが図１５のステップＷ６１１で腕時計１側から送信された「ＩＤモード」であるか否かを判断する（ステップＰ３０５）。「ＩＤモード」ない場合には、このフローチャートに従った処理を修了する。「ＩＤモード」であるならば（ステップＰ３０５；ＹＥＳ）、当該ＰＣ３の装置コードを送信する（ステップＰ３０６）。このステップＰ３０６でＰＣ３側から送信された装置コードの受信が、腕時計１側の前記ステップＷ６１２で判断されることとなる。
【００６３】
次に、腕時計１からの人体通信によるＩＤコードを受信したか否か（ステップＰ３０７）、及び一定時間が経過したか否か（ステップＰ３０８）を繰り返し判断する。ＩＤを受信することなく一定時間が経過した場合には（ステップＰ３０８；ＹＥＳ）、このフローチャートに従った処理を修了する。また、一定時間が経過する前に、腕時計１側から前記ステップＷ６１６の処理により送信されるＩＤを受信した場合には（ステップＰ３０７；ＹＥＳ）、腕時計１からの人体通信による指紋データを受信したか否か（ステップＰ３０９）、及び一定時間が経過したか否か（ステップＰ３１０）を繰り返し判断する。指紋データを受信することなく一定時間が経過した場合には（ステップＰ３１０；ＹＥＳ）、このフローチャートに従った処理を修了する。また、一定時間が経過する前に、腕時計１側から前記ステップＷ６１７の処理により送信される指紋データを受信した場合には（ステップＰ３０９；ＹＥＳ）、指紋検出部３９を動作させて前記ユーザーの指Ｆから指紋を検出する（ステップＰ３１１）。さらに、この検出した指紋と先程のステップＰ３０９で読み出した指紋データとを比較し、両者が一致するか否かを判断する（ステップＰ３１２）。
【００６４】
この判断の結果、両者が不一致であった場合には（ステップＰ３１２；ＮＯ）、ＮＧコードを送信する（ステップＰ３１３。）。このステップＰ３１３でＰＣ３側から送信されたＮＧコードの受信が、腕時計１側の前記ステップＷ６２３で判断されることとなる。また、両者が一致した場合には（ステップＰ３１２；ＹＥＳ）、ＯＫコードを送信し（ステップＰ３１４）、このステップＰ３１４でＰＣ３側から送信されたＯＫコードの受信が、腕時計１側の前記ステップＷ６１９で判断されることとなる。そして、受信したＩＤ、この時の入力方法（この場合入力方法は「人体通信」）、及び時計回路３６から取得した時刻データを、図１４に示した利用時刻記憶部３４２に記憶させる（ステップＰ３１５）。しかる後に、所定の動作を開始する（ステップＰ３１６）。
【００６５】
【発明の効果】
以上説明したように本発明に係る人体装着型電子機器、人体装着型電子機器の制御方法、人体装着型電子機器制御プログラム及び人体通信システムによれば、出力対象機器側でＩＤデータを得て、予め記憶されているＩＤデータとの照合を行い、その結果に応じて所定の動作を開始することにより、人体装着型電子機器を出力対象機器に所定の動作を開始させるための「鍵」として使用することができる。また、出力対象機器を特定するデータと、当該出力対象機器から応答があった時刻データとが対応付けて記憶され、この時刻データが表示手段に表示されることにより、ユーザはいずれの対象機器を何時動作させて使用したかの履歴を知ることができ、人体通信の応用を具現化して、対象機器の使用履歴の記憶と表示とに活用することができる。
【００６６】
また、人体通信の応用を具現化して、人体装着型電子機器の時刻データを修正することができる。
【００６７】
また、本発明に係る人体通信用外部機器によれば、データ入力手段により得られたＩＤデータと予めＩＤデータ記憶手段に記憶されているＩＤデータとを照合し、両者が一致した場合には、当該機器を特定するデータを所定の信号に変換して電極から人体に出力する。したがって、この信号が人体装着型電子機器に入力されることにより、人体装着型電子機器は、出力対象機器を特定するデータと、当該出力対象機器から応答があった時刻データとを対応付けて記憶させることができる。よって、人体通信の応用を具現化して、対象機器の使用履歴の記憶に活用することができる。
【００６８】
本発明に係る人体通信システムによれば、人体装着型電子機器を出力対象機器に所定の動作を開始させるための「鍵」として使用することができ、かつ人体通信の応用を具現化して、対象機器の使用履歴の記憶と表示とに活用することができるシステムを確立することができる。
【図面の簡単な説明】
【図１】本発明の各実施の形態に共通する腕時計の回路構成を示すブロック図である。
【図２】腕時計のＲＡＭに設けられている記憶部のメモリ構成図である。
【図３】本発明の各実施の形態に共通するＰＣの回路構成を示すブロック図である。
【図４】指紋検出部と電極の配置関係を示す図である。
【図５】ＰＣのＲＡＭに設けられている記憶部のメモリ構成図である。
【図６】使用時の状態を示す斜視図である。
【図７】第１の実施の形態における腕時計のＩＤモードでの処理手順を示すフローチャートである。
【図８】第１の実施の形態における腕時計の時刻修正モードでの処理手順を示すフローチャートである。
【図９】第１の実施の形態における腕時計の転送モードでの処理手順を示すフローチャートである。
【図１０】第１の実施の形態における腕時計の表示モードでの処理手順を示すフローチャートである。
【図１１】第１の実施の形態におけるＰＣの処理手順を示すフローチャートである。
【図１２】キー処理の内容を示すフローチャートである。
【図１３】本発明の第２の実施の形態に係る腕時計の処理手順を示すフローチャートである。
【図１４】本発明の第３の実施の形態において腕時計のＲＡＭに設けられている記憶部のメモリ構成図である。
【図１５】同実施の形態に係る腕時計の処理手順を示すフローチャートである。
【図１６】同実施の形態に係るＰＣの処理手順を示すフローチャートである。
【符号の説明】
１　　腕時計
１１　　制御部
１２　　表示部
１４　　ＲＡＭ
１５　　ＲＯＭ
１６　　時計回路
１７　　分周回路
１８　　キー部
１９　　電圧検出回路
２０　　通信回路
２１　　電極
１４１　　ＩＤデータ記憶部
１４２　　利用時刻記憶部
１４３　　転送利用時刻記憶部
１４４　　利用時刻記憶部
３　　ＰＣ
３１　　制御部
３２　　表示部
３３　　ハードディスク
３４　　ＲＡＭ
３５　　ＲＯＭ
３６　　時計回路
３７　　分周回路
３８　　キーボード
３９　　指紋検出部
４０　　通信回路
４１　　電極
３４１　　指紋データ記憶部
３４２　　利用時刻記憶部
【図１】
2004088223.tif 000003
【図２】
2004088223.tif 000004
【図３】
2004088223.tif 000005
【図４】
2004088223.tif 000006
【図５】
2004088223.tif 000007
【図６】
2004088223.tif 000008
【図７】
2004088223.tif 000009
【図８】
2004088223.tif 000010
【図９】
2004088223.tif 000011
【図１０】
2004088223.tif 000012
【図１１】
2004088223.tif 000013
【図１２】
2004088223.tif 000014
【図１３】
2004088223.tif 000015
【図１４】
2004088223.tif 000016
【図１５】
2004088223.tif 000017
【図１６】
2004088223.tif 000018